(57)【要約】      （修正有）【課題】室外機による熱排出が不要で、クーラー装置をホテル工事に導入し、室内クーラーを実現するとともに、余った熱を貯蔵し、かつキッチン・トイレ用水に使用する新型クーラー装置を提供する。【解決手段】クーラー装置とホテル温水供給装置からなるホテル用室外機不要クーラー装置に関し、上記のクーラー装置にはコンプレッサー２が含まれ、上記のコンプレッサーのクーラー部は放熱器１と連接し、上記のコンプレッサーの放熱部はヒートシンク３と連接している。上記の温水供給装置には、水槽４、増圧ポンプ５、水質浄化装置８及び加熱器９が含まれ、上記のヒートシンクは水槽内に設置され、上記の水槽に水道水進水パイプと温水出水パイプが設置され、上記の温水出水パイプは増圧ポンプと連接し、上記の増圧ポンプは水質浄化装置の進水口と連接し、上記の水質浄化装置の出水口は加熱器と連接し、上記の加熱器は用水出口と連接している。【選択図】図１
2020030034.tif 000002
【特許請求の範囲】
【請求項１】
ホテル用室外機不要クーラー装置であって、
クーラー装置及び、クーラー装置と連接しているホテル温水供給装置からなり、
上記のクーラー装置にはコンプレッサーが含まれ、上記のコンプレッサーには、クーラー部と放熱部が含まれ、上記のクーラー部は放熱器と連接し、上記の放熱部はヒートシンクと連接しており、
上記の温水供給装置には、水槽、増圧ポンプ、水質浄化装置及び加熱器が含まれ、上記のヒートシンクは水槽内に設置されて、水槽中の水に没入しており、上記の水槽に水道水進水パイプと温水出水パイプが設置され、上記の温水出水パイプは増圧ポンプと連接し、上記の増圧ポンプはパイプで水質浄化装置の進水口と連接し、上記の水質浄化装置の出水口は加熱器と連接し、上記の加熱器は用水出口と連接していることを特徴とするホテル用室外機不要クーラー装置。
【請求項２】
請求項１に記載のホテル用室外機不要クーラー装置であって、
上記の放熱器は風冷式放熱器であることを特徴とするホテル用室外機不要クーラー装置。
【請求項３】
請求項１に記載のホテル用室外機不要クーラー装置であって、
上記の水質浄化装置には、独立で設置された、パイプで連接しているフィルターと浄化器が含まれることを特徴とするホテル用室外機不要クーラー装置。
【請求項４】
請求項１に記載のホテル用室外機不要クーラー装置であって、
上記の加熱器は電気加熱器であることを特徴とするホテル用室外機不要クーラー装置。
【請求項５】
請求項１に記載のホテル用室外機不要クーラー装置であって、
上記の用水出口は、飲用水出口とキッチン・トイレ用水出口に分けられ、上記のキッチン・トイレ用水出口は、加熱器を通じて増圧ポンプの出水口と直接に連接していることを特徴とするホテル用室外機不要クーラー装置。
【発明の詳細な説明】
【技術分野】
【０００１】
本発明は、クーラー技術分野に関し、特に室外機による熱交換が不要な、コンプレッサーで実現されるホテル用室外機不要クーラー装置である。
【背景技術】
【０００２】
いまでは、市場で普遍的に採用されているクーラー設備は主に各種の方式のエアコンとファン設備であり、うちファンは主に空気の流動で体表の熱量を減少するが、真のクーラーの効果を果たすことができない。エアコン設備は、普遍的に室外機を利用して熱を排出し、室内温度保証の効果を発揮するが、全体的な環境に対し、大きな破環作用があり、都市のヒートアイランド効果を強化する。特に夏には、都市の温度が高いのは、エアコンの室外機から排出された熱がその原因の一つとなる。同時に、室外機は建築物の外壁の全体性を破格し、都市の外観に影響を及ぼし、一定の安全リスクもある。エアコンを取り付けるには、多くの力を投じてエアコンウェルとパイプを設計し設置する必要があり、これらのパイプは長期で使用されると、内部に有害菌群が発生し、人体にとって大きな危害があり、エアコンパイプの保守、交換も多くの時間と人力がかかる工事になる。
【０００３】
また、いまでは、ホテルは多く、大型ボイラー集中給水方式で客室のために温水を提供するが、このような給水方式には下記の欠点がある。（１）石炭またはガス等資源を採用して熱を提供し、かつ２４時間での温水供給が必要なので、環境を汚染し、資源の無駄を発生させることがある。（２）集中給水は水質汚染を発生させ、客室の用水を汚染しやすい。（３）ホテル用水のピークの時、温水の供給が不足のことがある。（４）ボイラーの建設と維持のコストが比較的高い。したがって、いまでは、市場では、室外機が不要でクーラーが発生した熱をホテルの温水供給に利用できるクーラー装置が必要になっている。
【発明の概要】
【発明が解決しようとする課題】
【０００４】
既存技術の不足を解決するために、本発明は、室外機による熱排出が不要で、クーラー装置をホテル工事に導入し、室内クーラーを実現するとともに、余った熱を貯蔵し、かつキッチン・トイレ用水に使用する新型クーラー装置を提供した。
【課題を解決するための手段】
【０００５】
本発明の技術ソリューションは下記の通りである。
【０００６】
ホテル用室外機不要クーラー装置で、クーラー装置及び、クーラー装置と連接しているホテル温水供給装置からなる。上記のクーラー装置にはコンプレッサーが含まれ、上記のコンプレッサーには、クーラー部と放熱部が含まれ、上記のクーラー部は放熱器と連接し、上記の放熱部はヒートシンクと連接している。上記の温水供給装置には、水槽、増圧ポンプ、水質浄化装置及び加熱器が含まれ、上記のヒートシンクは水槽内に設置されて、水槽中の水に没入しており、上記の水槽に水道水進水パイプと温水出水パイプが設置され、上記の温水出水パイプは増圧ポンプと連接し、上記の増圧ポンプはパイプで水質浄化装置の進水口と連接し、上記の水質浄化装置の出水口は加熱器と連接し、上記の加熱器は用水出口と連接している。
【０００７】
さらには、上記のコンプレッサーはホテル壁体外の独立した防振・ノイズ防止プラットフォームに設置される。
【０００８】
さらには、上記の放熱器は風冷式放熱器である。
【０００９】
さらには、上記の水質浄化装置には、独立で設置された、パイプで連接しているフィルターと浄化器が含まれる。
【００１０】
さらには、上記の加熱器は電気加熱器である。
【００１１】
さらには、上記の用水出口は、飲用水出口とキッチン・トイレ用水出口に分けられ、上記のキッチン・トイレ用水出口は、加熱器を通じて増圧ポンプの出水口と直接に連接している。
【発明の効果】
【００１２】
本発明は下記の有益な効果を発揮することができる。
【００１３】
本発明は、コンプレッサーで冷却し、空気を循環させて室内の温度を下げ、ホテル室内の水道に連接するが、室外機による排熱が不要で、水で室内の排出する必要がある熱を吸収して、エネルギーの交換と効果的な利用を実現して、熱をキッチン・トイレ・シャワーまたは飲水に使用するので、外部環境にいかなる損害がなく、実施の工事量が小さく、占用の空間が小さく、クーラー效果が良い。各客室では、独立で給水可能で、外部環境の影響を受けなく、ユーザーの用水のニーズを便利に満足させ、保守が簡単で、建設コストが低く、パイプに細菌が発生しにくく、客室の用水を大いに便利した。室外空間に熱を釈放しなく、省エネで、汚染がなく、エネルギーの消耗が小さく、資源の効果的な利用ができ、無駄がなく、省エネでエコ的である。
【図面の簡単な説明】
【００１４】
【図１】図１は本発明のホテル用室外機不要クーラー装置の構造説明図である。
【発明を実施するための形態】
【００１５】
本分野の技術者に本発明をさらに理解してもらうために、以下で、付図に照らして本発明の具体的な実施方式を説明する。
【００１６】
図１に示されたように、ホテル用室外機不要クーラー装置で、クーラー装置及び、クーラー装置と連接しているホテル温水供給装置からなる。上記のクーラー装置には、ホテル壁体外に設置された独立した防振・ノイズ防止プラットフォームに設置されるコンプレッサー2が含まれ、上記のコンプレッサー2に、冷却剤が充填されており、上記のコンプレッサー2には、クーラー部と放熱部が含まれ、上記のクーラー部は放熱器1と連接し、上記の放熱器1は、ファンリーフ構造を備えた風冷式放熱器であり、上記の放熱部はヒートシンク3と連接している。
【００１７】
上記の温水供給装置には、水槽4、増圧ポンプ5、水質浄化装置と加熱器9が含まれる。上記のヒートシンク3は水槽4内に設置されて、水槽4の水に没入している。上記の水槽4に、水道水進水パイプと温水出水パイプが設置され、上記の温水出水パイプは増圧ポンプ5と連接し、上記の増圧ポンプはパイプで水質浄化装置の進水口と連接している。具体的には、上記の水質浄化装置には、濾過用のフィルター7及びさらに浄化する浄化器8が含まれ、上記の未浄化の水は順序でフィルター7及び浄化器8を通じて浄化され、浄化後の水は、水パイプで加熱器9と連接するが、この加熱器9は電気加熱器である。上記の電気加熱器は用水出口と連接し、上記の用水出口は、具体的に飲用出水口10とキッチン・トイレ出水口11に設置されることができる。本実施例では、例えば、図1の中で、増圧ポンプ5出水口に、水パイプT形バルブ6が設置され、上記のキッチン・トイレ出水口11は、水質浄化装置を通じなくて、増圧ポンプ5と連接することができる。
【００１８】
本発明の原理は下記の通りである。
【００１９】
コンプレッサー2は、冷却剤を低圧から高圧に上げ、かつ冷却剤をコンプレッサー2、ヒートシンク3、放熱器1の中に絶えずに循環・流動させ、かつ形態の変換を発生させ、冷却剤は放熱器1の中で液体から気体に変化し、熱を吸入して放熱器1の回りの空気中の熱を除く。冷却剤はヒートシンク3の中で気体から液体に変化し、熱を水槽4の中に放出し、水の比熱容量が非常に大きく、伝熱性能が良好で、大量の熱を貯蔵できるので、装置は絶えずに吸収した熱をホテルの温水装置に移転し、ユーザーは、水を引き続きろ過・浄化・加熱することができ、室内から排出される熱を効果的に利用することが出来る。水はフィルター・浄化器で処理後、直接に飲用することができ、また、温水器で沸かして飲むこともでき、また、加熱してシャワーに使用することができ、或いは、炊飯やその他の用途に使用することができる。
【００２０】
同クーラー装置は、室外機不要の特性があることで、環境を破壊しなく、コンプレッサーの冷却信頼性が高く、ホテル工事に導入した方式で室内空間を合理的に利用し、室内空間の占用を減少することが出来る。水処理装置の接続により、室内の熱を十分に利用するので、資源を効果的に利用し、省エネ・排出削減ができ、ユーザーの用水ニーズを満足させることが出来る。
【００２１】
以上に記載の本発明の実施方式は、本発明の権利保護範囲を限定するものではない。いかなる本発明の原理と原則に基づいて行われた修正、同等代替及び改進等はいずれも本発明の権利保護範囲内とする。
【符号の説明】
【００２２】
1は放熱器、2はコンプレッサー、3はヒートシンク、4は水槽、5は増圧ポンプ、6は水パイプT形バルブ、7はフィルター、8は浄化器、9は加熱器、10は飲用水出水口、11はキッチン・トイレ出水口である。
【図１】
2020030034.tif 000003